(57)【要約】
【課題】
本体部と鼻と頬との凹凸に対応して密着性を向上させたマスクを提供する。
【解決手段】
外側不織布と中間不織布および口元側不織布の三層で構成され、その４辺が超音波加工により熱融着される長方形状の本体部２と、この本体部２の両側上下に固定された耳掛け紐３と、本体部２の上縁中央部に固定された鼻掛け部４とを備え、この鼻掛け部４は、略扇形状に形成され、その両側が、本体部２の上縁に対して４０〜５０°の傾斜角αで固定されると共に、本体部２より僅かに腰の強い不織布で生成されている。したがって、鼻掛け部４は、鼻背および鼻翼に隙間なく密着し、鼻と本体部２との間からマスク１を介さない空気の出入り量が可及的に減少すると共に、本体部２と鼻と頬との凹凸に対応して密着性を向上させたマスク１を提供することができる。
【選択図】図１
0003101212.tif 000002
【実用新案登録請求の範囲】
【請求項１】
紙、布、不織布等の通気性を有する素材からなる長方形状の本体部と、この本体部の両側上下に固定された耳掛け紐と、前記本体部の上縁中央部に固定された鼻掛け部とを備え、この鼻掛け部は、略扇形状に形成され、その両側が、前記本体部の上縁に対して所定の傾斜角で固定されていることを特徴とするマスク。
【請求項２】
前記鼻掛け部が、前記本体部の上縁に対して３０〜６０°の傾斜角で固定されている請求項１に記載のマスク。
【請求項３】
前記本体部は、外側不織布と中間不織布および口元側不織布の三層で構成され、その４辺が超音波加工により熱融着されている請求項１または２に記載のマスク。
【請求項４】
前記本体部が、レーヨン、ポリエステルのスパンレース不織布からなる外側不織布と口元側不織布、およびポリプロピレンの防塵フィルター不織布からなる中間不織布の三層で構成されている請求項３に記載のマスク。
【請求項５】
前記本体部が、レーヨン、ポリエステルのスパンレース不織布からなる外側不織布と、ポリプロピレンの防塵フィルター不織布からなる中間不織布と、ポリプロピレンのサーマルボンド不織布からなる口元側不織布の三層で構成されている請求項３に記載のマスク。
【請求項６】
前記本体部は、晒し加工されていないガーゼからなる口元側生地と、防塵フィルターからなる中間生地とを包み縫製したものに、ガーゼやブロード生地からなり、レーヨンと綿と紡績糸を用いて織物生地で作成された外側生地が直接縫製されている請求項１または２に記載のマスク。
【請求項７】
前記本体部より僅かに腰の強い同種の通気性を有する素材で生成されている請求項１乃至６いずれかに記載のマスク。
【考案の詳細な説明】
【技術分野】
【０００１】
本考案は、口と鼻を覆う衛生用品等として顔面に使用するマスク、特に、顔面の凹凸に対応して密着性を向上させたマスクに関するものである。
【背景技術】
【０００２】
風邪をひいた場合や花粉症にかかった場合には、冷たい外気や外部の細菌、あるいは大気に混じった花粉等が体内に侵入するのを防止するために通常マスクが使用されている。マスクは一般的に、四角い平面状のガーゼ等、柔軟性のある素材からなる本体部と、この本体部の両側に取り付けられた耳掛け紐とからなる。マスクの本体部の素材には、ガーゼの他に、手術用や半導体製造工場等のクリーンルームで用いられる使い捨てマスクにおいては、紙や樹脂不織布等が使用されることがある。
【０００３】
この種のマスクにおいて、マスク内外との遮断を効果的に行うためには、マスクを口や鼻の辺りの顔面形状とほぼ同じ形状にする必要があることから、例えば布地を部分的に折り重ねてプリーツ加工したものや、マスクの上縁に変形可能なワイヤー等が挿入されたもの、あるいは、予め立体形状になって変形しない立体成形タイプのもの等、種々のマスクがある。
【０００４】
プリーツ加工されたマスクは、使用する際に重なり部を拡げるようにするだけで、立体的形状にすることができるが、マスク本体部の裏面に直接口が当るため、普通に呼吸したり話をする度にマスクが動いて呼吸がし辛くなる。ワイヤー等が本体部に挿入されたものでは、マスクを使用する度に手でワイヤーを整形しなければならず、また、整形するのに時間がかかるだけでなく、使用しない時には立体状になってバッグ等に収納し難い。その上、マスクを廃棄する際に、ゴミの分別規制が厳格になってきた昨今、燃えないワイヤーと本体部といちいち分離しなければならず極めて面倒である。また、立体成形タイプは、製造段階でマスク本体部の形状が立体的に製造されるため、使用する際、手で整形させることなくそのまま使用できるため使い勝手が良いが、製造設備が大掛かりになり製造工程も多く低コスト化が難しい。
【０００５】
さらに、眼鏡をかけている場合、マスクと鼻や頬との間にどうしても隙間が生じるため、マスクの上縁から息が上方に漏れて眼鏡のレンズの内側が曇り、手術や作業の障害となるといった問題があった。
【０００６】
このような問題を解決したものとして図６に示すようなマスクが知られている。このマスク５０は、本体部５１と、この本体部５１の裏面に上縁と両側縁とが固定された鼻掛け部５２と、本体部５１の両側に取り付けられた耳掛け紐５３とを備えている。そして、鼻掛け部５２の自由縁５４の中央部を持ち上げると、鼻掛け部５２が鼻に丁度掛かり、自由縁５４の両端は本体部５１によって固定されているので、マスク５０を鼻に掛けた状態では、鼻掛け部５２の自由縁５４はその両側に向け引張られることになり、鼻掛け部５２の形状が鼻の外形形状に合致したものになる。これにより、鼻と本体部５１との間からマスク５０を介さない空気の出入り量が減少して、マスクとしての効果を高めることができる。
【特許文献１】特開２００１−１６１８４３号公報
【考案の開示】
【考案が解決しようとする課題】
【０００７】
しかしながら、こうした鼻掛け部５２を有するマスク５０は、平面状の本体部５１と比べてより顔の頬に近付くように変形するが、自由縁５４の両端が本体部５１によって固定されているため、鼻掛け部５２の自由縁５４を持ち上げると、平面状の本体部５１全体が引張られ、円弧状に湾曲して鼻掛け部５４の下縁５５が直線状となって鼻と頬との間に僅かな隙間が生じてしまう。また、これに伴い、話をした時に本体部５１が左右にずれるといった問題があった。したがって、こうしたマスク５０では鼻と頬の凹凸形状に対応してきっちり密着させるにはおのずと限界があり改善が必要であった。
【０００８】
本考案は、このような事情に鑑みてなされたもので、本体部と鼻と頬との凹凸に対応して密着性を向上させたマスクを提供することを目的としている。
【課題を解決するための手段】
【０００９】
係る目的を達成すべく、本考案のうち請求項１に記載の考案は、紙、布、不織布等の通気性を有する素材からなる長方形状の本体部と、この本体部の両側上下に固定された耳掛け紐と、前記本体部の上縁中央部に固定された鼻掛け部とを備え、この鼻掛け部は、略扇形状に形成され、その両側が、前記本体部の上縁に対して所定の傾斜角で固定されている構成を採用した。
【００１０】
このように、通気性を有する素材からなる長方形状の本体部と、この本体部の両側上下に固定された耳掛け紐と、本体部の上縁中央部に固定された鼻掛け部とを備え、この鼻掛け部は、略扇形状に形成され、その両側が、本体部の上縁に対して所定の傾斜角で固定されているので、鼻掛け部は、鼻背および鼻翼に隙間なく密着し、鼻と本体部との間からマスクを介さない空気の出入り量が可及的に減少する。したがって、本体部と鼻と頬との凹凸に対応して密着性を向上させたマスクを提供することができる。
【００１１】
好ましくは、請求項２に記載の考案のように、前記鼻掛け部が、前記本体部の上縁に対して３０〜６０°の傾斜角で固定されていれば、鼻の形状に合致して覆うことができ、一層密着性を向上させることができる。
【００１２】
また、請求項３に記載の考案は、前記本体部は、外側不織布と中間不織布および口元側不織布の三層で構成され、その４辺が超音波加工により熱融着されているので、各層別に所望の機能を有する不織布を適宜選択することができる。
【００１３】
また、請求項４に記載の考案のように、前記本体部が、レーヨン、ポリエステルのスパンレース不織布からなる外側不織布と口元側不織布、およびポリプロピレンの防塵フィルター不織布からなる中間不織布の三層、あるいは、請求項５に記載のように、前記本体部が、レーヨン、ポリエステルのスパンレース不織布からなる外側不織布と、ポリプロピレンの防塵フィルター不織布からなる中間不織布と、ポリプロピレンのサーマルボンド不織布からなる口元側不織布の三層で構成されていても良い。
【００１４】
また、請求項６に記載の考案のように、前記本体部は、晒し加工されていないガーゼからなる口元側生地と、防塵フィルターからなる中間生地とを包み縫製したものに、ガーゼやブロード生地からなり、レーヨンと綿と紡績糸を用いて織物生地で作成された外側生地が直接縫製されていれば、一層マスク本来の機能を向上させる。
【００１５】
また、請求項７に記載の考案は、前記本体部より僅かに腰の強い同種の通気性を有する素材で生成されているので、鼻と頬との凹凸に対応して密着性が向上し、かつ、眼鏡をかけた人が使用しても、この鼻掛け部を介して上方から漏れた吐息の水分によって眼鏡のレンズが曇ることはない。
【考案の効果】
【００１６】
以上詳述したように、本考案に係るマスクにあっては、紙、布、不織布等の通気性を有する素材からなる長方形状の本体部と、この本体部の両側上下に固定された耳掛け紐と、前記本体部の上縁中央部に固定された鼻掛け部とを備え、この鼻掛け部は、略扇形状に形成され、その両側が、前記本体部の上縁に対して所定の傾斜角で固定されているので、鼻掛け部は、鼻背および鼻翼に隙間なく密着し、鼻と本体部との間からマスクを介さない空気の出入り量が可及的に減少する。したがって、本体部と鼻と頬との凹凸に対応して密着性を向上させたマスクを提供することができる。
【考案を実施するための最良の形態】
【００１７】
外側不織布と中間不織布および口元側不織布の三層で構成され、その４辺が超音波加工により熱融着される長方形状の本体部と、この本体部の両側上下に固定された耳掛け紐と、前記本体部の上縁中央部に固定された鼻掛け部とを備え、この鼻掛け部は、略扇形状に形成され、その両側が、前記本体部の上縁に対して３０〜６０°の傾斜角で固定されると共に、前記本体部より僅かに腰の強い同種の通気性を有する素材で生成されている。
【実施例１】
【００１８】
以下、本考案の実施の形態を図面に基づいて詳細に説明する。図１は、本考案に係るマスクの一実施形態を示す背面図、図２（ａ）は、ＩＩ−ＩＩ線に沿った断面図、（ｂ）は、（ａ）の要部拡大図、図３（ａ）は、このマスクを装着した状態を示した断面図、（ｂ）は、（ａ）の要部上面図である。
【００１９】
図１に示すマスク１は使い捨て用の不織布マスクで、マスクの本体部２と、この本体部２の両側上下に固定された耳掛け紐３と、本体部２の上縁中央部に固定された鼻掛け部４とを備えている。本体部２は、レーヨン８０ｗｔ％、ポリエステル２０ｗｔ％のスパンレース不織布等からなる外側不織布５と、ポリプロピレン１００ｗｔ％の防塵フィルター不織布等からなる中間不織布６、およびポリプロピレン１００ｗｔ％のサーマルボンド不織布等からなる口元側不織布７の三層で構成されている。これら三層の不織布５、６、７は、４辺が超音波加工により熱融着されている（図中破線にて示す）。これにより、各層別に所望の機能を有する不織布を適宜選択することができる。ここで、ｗｔ％は、単位容積当りの重量、所謂めつけ（秤量）をいう。また、本体部２には、ヒダ状に複数折り返されたプリーツ加工による折り重ね部２ａ、２ｂがあり、鼻や口の形状に対応して顔面に密着するようになっている。さらに、鼻部の凹凸形状にすきまなく密着するよう、本体部２の上縁に沿って水平方向に弾性変形可能なワイヤー（図示せず）を介装しても良い。
【００２０】
鼻掛け部４は、前記した不織布５、６、７よりも僅かに剛性が高く、腰が強いポリエステル１００ｗｔ％のスパンボンド不織布等からなり、楕円状の扇形状に形成されている。この鼻掛け部４の両側が、本体部２の上縁中央部に熱溶着によって固定されているが、その固定部４ａは、上縁に対して３０〜６０°、好ましくは４０〜５０°の傾斜角αを有している。この傾斜角αによって、鼻掛け部４は、従来のように、平面状の本体部２全体が引張られ、円弧状に湾曲して鼻掛け部４の下縁が直線状となって鼻と頬との間に隙間が生じてしまうようなことはなく、鼻背および鼻翼に隙間なく密着する。したがって、鼻と本体部２との間からマスク１を介さない空気の出入り量が可及的に減少する。また、この鼻掛け部４は、隙間なく鼻部のみにソフトに密着するため、話をした時に本体部２が左右にずれるといった問題も解消する。
【００２１】
次に、本考案のマスク１を使用する場合は、図３に示すように、鼻掛け部４の下縁である自由端４ｂをめくり、めくった鼻掛け部４の内側を鼻背８と鼻翼９に掛ける。鼻掛け部４は、本体部２の上縁中央部に、所定の傾斜角αをもって固定されているため、従来のように本体部２の両側が極端に引張られることがなく、本体部２は自然に顔面の形状に沿って密着すると共に、鼻掛け部４も鼻背８と鼻翼９を隙間なく覆うことができる。
【００２２】
そして、鼻８、９と本体部２との間に隙間がなく、また鼻掛け部４が不織布によって形成されているため、眼鏡をかけた人が使用しても、上方から漏れた吐息の水分によって眼鏡のレンズが曇ることはない。さらに、鼻掛け部４が口元側不織布７側の上縁中央部に部分的に固定されているため、マスク１の表裏を識別することが容易となり、誤って花粉や塵埃等が付着した外側不織布５を口にあてる恐れはない。
【００２３】
本実施形態では、外側不織布５、中間不織布６、および口元側不織布７がそれぞれ異なった不織布で構成されたものを例示したが、これに限定されず、例えば、外側不織布５と口元側不織布７とを同一のレーヨン８０ｗｔ％、ポリエステル２０ｗｔ％のスパンレース不織布等で構成しても良い。
【００２４】
図４に鼻掛け部の他の実施形態を示す。（ａ）は、下縁となる自由端１０ｂが円の一部をなす円弧状に形成された鼻掛け部１０であり、前述したものと同様、固定部１０ａは所定の傾斜角αを有している。（ｂ）に示めす鼻掛け部１１は、下縁となる自由端１１ｂが、略台形状の矩形に形成され、同じく、固定部１１ａは所定の傾斜角αを有している。
【００２５】
本実施形態に係る使い捨て用のマスク１は、本体部２と、この本体部２の両側上下に固定された耳掛け紐３と、本体部２の上縁中央部に固定された鼻掛け部４とを備え、本体部２が、外側不織布５と中間不織布６および口元側不織布７の三層で構成されると共に、扇形状に形成された鼻掛け部４の両側が、本体部２の上縁中央部に所定の傾斜角αをもって熱溶着で固定されているため、鼻背８および鼻翼９を隙間なく覆い隙間なく密着する。したがって、鼻８、９と本体部２との間からマスク１を介さない空気の出入り量が可及的に減少する。また、この鼻掛け部４は、隙間なく鼻部のみにソフトに密着するため、話をした時に本体部２が左右にずれるといった問題も解消する。
【実施例２】
【００２６】
図５は、本考案に係るマスクの他の実施形態を示す、一部を断面した斜視図である。なお、前述した実施形態と同一の部位には同じ符号を付してその詳細な説明を省略する。
このマスク１２は、織物生地からなるガーゼマスクで、本体部１３と、この本体部１３の両側上下に固定された耳掛け紐３と、本体部１３の上縁中央部に固定された鼻掛け部１４とを備えている。本体部１３は、晒し加工されていない白ガーゼ、またはカラーガーゼからなる口元側生地１５と、防塵フィルターからなる中間生地１６とを包み縫製したものに外側生地１７を直接縫製している（図中破線にて示す）。この外側生地１７は、ガーゼやブロード生地からなり、レーヨン３０ｗｔ％と、綿７０ｗｔ％と、４０番手の紡績糸を用いて織物生地で作成されている。
【００２７】
鼻掛け部１４は、外側生地１７と同一のガーゼやブロード生地からなり、レーヨン３０ｗｔ％と、綿７０ｗｔ％と、４０番手以上の紡績糸を用いて僅かに腰が強い織物生地で作成されている。扇形状に形成された鼻掛け部１４の両側は、本体部１３の上縁中央部に縫製によって固定されているが、その固定部１４ａは、上縁に対して３０〜６０°、好ましくは４０〜５０°の傾斜角αを有している。この傾斜角αによって、鼻掛け部１４は、前述した実施形態と同様、その下縁となる自由端１４ｂをまくり上げ、鼻に覆うことにより、鼻背および鼻翼に隙間なく密着する。したがって、鼻と本体部１３との間からマスク１２を介さない空気の出入り量が可及的に減少する。
【００２８】
以上、本考案の実施の形態について説明を行ったが、本考案はこうした実施の形態に何等限定されるものではなく、あくまで例示であって、本考案の要旨を逸脱しない範囲内において、さらに種々なる形態で実施し得ることは勿論のことであり、本考案の範囲は、実用新案登録請求の範囲の記載によって示され、さらに実用新案登録請求の範囲に記載の均等の意味、および範囲内のすべての変更を含む。
【産業上の利用可能性】
【００２９】
本考案に係るマスクの本体部および鼻掛け部は、繊維の生地あるいは不織布で生成する以外に、通気性を有する紙等を接着剤で接合して生成しても良い。また、本体部に折り重ね部を持たないものであっても良い。
【図面の簡単な説明】
【００３０】
【図１】本考案に係るマスクの一実施形態を示す背面図である（実施例１）。
【図２】（ａ）は、同上、ＩＩ−ＩＩ線に沿った断面図である。  （ｂ）は、（ａ）の要部拡大図である。
【図３】（ａ）は、本考案に係るマスクを装着した状態を示す断面図である。（ｂ）は、（ａ）の要部上面図である。
【図４】（ａ）は、本考案に係る鼻掛け部の他の実施形態を示す正面図である。  （ｂ）は、同上さらに他の実施形態を示す正面図である。
【図５】本考案に係るマスクの他の実施形態を示す一部を断面した斜視図である（実施例２）。
【図６】従来のマスクを示す斜視図である。
【符号の説明】
【００３１】
１、１２・・・・・・・・・・・・マスク
２、１３・・・・・・・・・・・・本体部
２ａ、２ｂ・・・・・・・・・・・折り重ね部
３・・・・・・・・・・・・・・・耳掛け紐
４、１０、１１、１４・・・・・・鼻掛け部
４ａ、１０ａ、１１ａ、１４ａ・・固定部
４ｂ、１０ｂ、１１ｂ、１４ｂ・・自由端
５・・・・・・・・・・・・・・・外側不織布
６・・・・・・・・・・・・・・・中間不織布
７・・・・・・・・・・・・・・・口元側不織布
８・・・・・・・・・・・・・・・鼻背
９・・・・・・・・・・・・・・・鼻翼
１５・・・・・・・・・・・・・・口元側生地
１６・・・・・・・・・・・・・・中間生地
１７・・・・・・・・・・・・・・外側生地
５０・・・・・・・・・・・・・・マスク
５１・・・・・・・・・・・・・・本体部
５２・・・・・・・・・・・・・・鼻掛け部
５３・・・・・・・・・・・・・・耳掛け紐
５４・・・・・・・・・・・・・・自由縁
５５・・・・・・・・・・・・・・下縁
α・・・・・・・・・・・・・・・傾斜角
【図１】
0003101212.tif 000003
【図２】
0003101212.tif 000004
【図３】
0003101212.tif 000005
【図４】
0003101212.tif 000006
【図５】
0003101212.tif 000007
【図６】
0003101212.tif 000008